(57)【要約】【課題】  容器用蓋が装着された容器のヘッドスペース容積による品質低下を防止することが可能な容器用蓋を提供すること。【解決手段】  容器用蓋に、容器口部外周と係合可能な円筒部と、容器口部内に挿入され、先端が前記円筒部下端よりも下方に延びていると共に容器口部内の容積を所定量以上占有する挿入部とを備えた。【選択図】        図１
2008280053.tif 000002
【特許請求の範囲】
【請求項１】
容器口部外周と係合可能な円筒部と、
容器口部内に挿入され、先端が前記円筒部下端よりも下方に延びていると共に容器口部内の容積を所定量以上占有する挿入部と、
を備えたことを特徴とする容器用蓋。
【請求項２】
請求項１に記載の容器用蓋において、
前記挿入部は、前記容器用蓋を容器に取り付けて水平面に載置したときに容器の内容物と接触する位置まで延びていることを特徴とする容器用蓋。
【請求項３】
請求項１または２に記載の容器用蓋において、
前記挿入部は、容器口部内周と密着する第１挿入部を有することを特徴とする容器用蓋。
【請求項４】
請求項３に記載の容器用蓋において、
前記挿入部は、前記第１挿入部より下方であって、かつ、容器口部内周よりも小径の第２挿入部を有することを特徴とする容器用蓋。
【請求項５】
請求項４に記載の容器用蓋において、
前記第２挿入部は、下方に向かうにつれて小径となるテーパー形状であることを特徴とする容器用蓋。
【請求項６】
請求項４または５に記載の容器用蓋において、
前記挿入部は、前記容器用蓋を容器に取り付けて水平面に載置したときに容器の内容物が前記第２挿入部と容器口部内周との間に侵入することを特徴とする容器用蓋。
【請求項７】
請求項１ないし６いずれか１つに記載の容器用蓋において、
前記挿入部は、前記挿入部外周上方と前記挿入部外周下方とを連通する溝を有することを特徴とする容器用蓋。
【請求項８】
請求項７に記載の容器用蓋において、
前記溝は、前記挿入部外周に沿って形成された縦溝であることを特徴とする容器用蓋。
【請求項９】
請求項１ないし８いずれか１つに記載の容器用蓋において、
前記挿入部は、前記挿入部外周に凹凸を有することを特徴とする容器用蓋。
【請求項１０】
請求項９に記載の容器用蓋において、
前記凹凸は、前記挿入部の上下方向中心より下方に設けられていることを特徴とする容器用蓋。
【請求項１１】
請求項９または１０に記載の容器用蓋において、
前記凹凸は、前記挿入部外周に形成された円周溝であることを特徴とする容器用蓋。
【請求項１２】
請求項９または１０に記載の容器用蓋において、
前記凹凸は、前記挿入部外周に複数形成された凹状の球面であることを特徴とする容器用蓋。
【請求項１３】
請求項１ないし１２いずれか１つに記載の容器用蓋において、
前記容器用蓋が装着される容器の内容物は、50ppm以上の酸素濃度を有する高濃度酸素水であることを特徴とする容器用蓋。
【請求項１４】
請求項１３に記載の容器用蓋において、
前記容器用蓋が装着された容器の内容物の容積と前記挿入部の容積との和と、容器の容積との差が0〜4mLの範囲であることを特徴とする容器用蓋。
【請求項１５】
請求項１４に記載の容器用蓋において、
前記容器用蓋が装着される容器の容器内圧がゲージ圧で50kpa〜150kpaであることを特徴とする容器用蓋。
【請求項１６】
請求項１ないし１５いずれか１つに記載の容器用蓋において、
前記挿入部と前記円筒部は一体であることを特徴とする容器用蓋。
【請求項１７】
請求項１ないし１５いずれか１つに記載の容器用蓋において、
前記挿入部と前記円筒部は別体であることを特徴とする容器用蓋。
【請求項１８】
請求項１ないし１７いずれか１つに記載の容器用蓋において、
前記挿入部は、先端が円錐形状であることを特徴とする容器用蓋。
【請求項１９】
請求項１ないし１７いずれか１つに記載の容器用蓋において、
前記挿入部は、先端が球面形状であることを特徴とする容器用蓋。
【請求項２０】
請求項１ないし１９いずれか１つに記載の容器用蓋において、
前記円筒部は、容器口部外周に形成された螺子溝に螺合する螺子部を有することを特徴とする容器用蓋。
【請求項２１】
請求項１ないし２０いずれか１つに記載の容器用蓋において、
前記容器用蓋が装着された容器の内容物の容積と前記挿入部の容積との和と、容器の容積との差が0mLであることを特徴とする容器用蓋。
【請求項２２】
請求項１ないし２１いずれか１つに記載の容器用蓋を備えたことを特徴とする容器。
【請求項２３】
容器の口部開口まで内容物を充填する満注充填工程と、
請求項１ないし請求項２１いずれか１つに記載の容器用蓋を前記開口に装着する封入工程と、
を備えたことを特徴とする内容物充填方法。
【発明の詳細な説明】
【技術分野】
【０００１】
本発明は、飲料用瓶等の容器の口部に被せられる容器用蓋による内容物の気密漏れ防止に関し、特に高濃度酸素水、或いは水素水等の内容物の品質維持に対応したキャップに関する。
【背景技術】
【０００２】
従来、容器内の気密漏れ防止についての容器用蓋に係る技術として、特許文献１〜５に開示されている。各特許文献は、容器口部の外周に形成した螺子溝に螺合するキャップ部を有する容器用蓋において、内容物の気密性を保持するために、前記螺子溝に螺合するキャップ部の内側に容器口部の気密性を高めるための部材を備えたものである。これらの容器用蓋は、言い換えると、容器内部と容器外部との気密漏れを防止する構成であると言える。
【特許文献１】特公昭６２−１８４２１号
【特許文献２】特開昭６０―１６１０６２号
【特許文献３】実開平２−９３２５０号
【特許文献４】特許２９４３０４８号
【特許文献５】特開平８−１６９４５５号
【発明の開示】
【発明が解決しようとする課題】
【０００３】
近年、通常のミネラルウォータ等に比べて高濃度の酸素や水素を溶解させた高濃度酸素水、或いは高濃度水素水といった商品が開発されている。これらの商品は、酸素や水素といった水に溶けにくい気体を溶解させているため、高濃度酸素水等を内容物として充填した後の内容物以外の気体が占める容積（以下、ヘッドスペース）が内容物の品質維持に影響するという新たな課題が見出された。すなわち、容器内部と容器外部の気密漏れをいくら防止したとしても、品質を維持することが困難であることが見出された。
【０００４】
高濃度酸素水等以外の通常の内容物を充填している場合、ヘッドスペース内の気体を窒素や炭酸ガスに置換することで、気体内の酸素を排除し、酸化を防止することで内容物の品質を維持することが可能である。この場合は、上記各特許文献の技術を適用すれば足りると考えられる。しかしながら、内容物が高濃度酸素水等の場合、窒素や炭酸ガスに置換したとしても、酸素や水素がヘッドスペースに抜け出してしまい、品質を維持することができない。一方、品質を維持するために、ヘッドスペース内の気体を酸素や水素といった気体と置換することは、安全上の観点から問題がある。他の方法として、容器の口部ギリギリまで内容物を充填させてヘッドスペース自体を小さくすることも考えられるが、消費者が容器用蓋を開封した際、開栓時の動作により内容物がこぼれてしまい、飲用出来る量が少なくなったり、また、消費者の手や衣服をぬらす虞がある。
【０００５】
本発明は、上記のような従来技術の問題点に鑑み、ヘッドスペースによる品質低下を防止することが可能な容器用蓋，容器用蓋を備えた容器及び内容物充填方法を提供することを目的とする。
【課題を解決するための手段】
【０００６】
本発明の容器用蓋にあっては、容器口部外周と係合可能な円筒部と、容器口部内に挿入され、先端が前記円筒部下端よりも下方に延びていると共に容器口部内の容積を所定量以上占有する挿入部と、を備えたことを特徴とする。
【発明の効果】
【０００７】
本発明に係る容器用蓋にあっては、挿入部が容器内の容積を所定量以上占有するため、本発明に係る容器用蓋を容器に装着した場合にあっては、ヘッドスペースを小さくすることが可能となり、ヘッドスペースへの代替ガスとの置換といった工程を経ることなく内容物の酸化を抑制して品質の低下を防止することができる。一方、容器から本発明に係る容器用蓋を取り外したときは、挿入部の分だけヘッドスペースを確保することが可能となり、消費者が容器用蓋を開封した際、開栓時の動作により内容物がこぼれてしまい、飲用出来る量が少なくなったり、また、消費者の手や衣服を濡らすことを防止することができる。
【発明を実施するための最良の形態】
【０００８】
以下、本発明の最良の実施形態について図面に基づいて説明する。
【実施例１】
【０００９】
図１は実施例１における容器用蓋１を容器口部２に装着した状態における部分断面図、図２は実施例１における容器用蓋１単体の部分断面図である。図１中、容器２０は断面図で示してあり、容器用蓋１のうち、キャップ部１１は断面図、挿入部付き中栓１２は左半分を正面図、右半分を断面図として示す。図２中、容器用蓋１のうち、キャップ部１１は断面図、挿入部付き中栓１２は左半分を正面図、右半分を断面図として示す。
【００１０】
容器２０は、いわゆるペットボトルであり、材質としてはポリエチレン、ポリプロピレン、ポリエチレンテエレフタレートが知られているが、他の合成樹脂から構成されてもよく、特に限定しない。尚、金属容器であっても勿論よい。
【００１１】
容器２０の上端には、容器口部２が設けられている。この容器口部２は、容器２の胴部に比べて小径の円筒形状とされている。容器口部２の外周には、下方から順に、容器内への内容物充填工程や搬送工程に用いられるサポートリング２ａと、後述するピルファープルーフバンド１１ｃと係合する肩部２ｂと、キャップ部１１と螺子係合する螺子溝２ｃが形成されている。また、容器口部２の内周には、上方から順に、後述する挿入部付き中栓１２の一部と密着して容器内の気密性を確保する密封部２ｅと、垂直に立ち上げられた内周面２ｆが形成されている。更に、容器口部２の外周と内周とは開口上端２ｄで連結されている。
【００１２】
容器用蓋１は、キャップ部１１と、挿入部付き中栓１２の２部品から構成されている。まず、キャップ部１１について説明する。キャップ部１１は、消費者が開封する際に把持する円筒部１１ａと、天板部１１ｂから構成されている。円筒部１１ａの下端には、ピルファープルーフバンド１１ｃが脆弱部を介して取り付けられている。ピルファープルーフバンド１１ｃは上述の肩部２ｂと係合し、消費者が容器用蓋１を開封すると、脆弱部において破断することで開封されたか否かを目視可能としている。
【００１３】
円筒部１１ａの内周には螺子溝２ｃと螺子係合する螺子部１１ｄが形成されている。円筒部１１ａの内周であって、天板部１１ｂの下面近傍には、挿入部保持用凸部１１ｅが形成されている。後述する挿入部付き中栓１２を天板部１１ｂ下面と挿入部保持用凸部１１ｅとにより狭持することでキャップ部１１と挿入部付き中栓１２を一体としている。
【００１４】
次に挿入部付き中栓１２について説明する。挿入部付き中栓１２は、キャップ部１１の天板部１１ｂ下面と挿入部保持用凸部１１ｅとの間に圧入される係合凸部１２ａと、径方向に延在され天板部１１ｂ下面と上端開口２ｄとの間に狭持される狭持部１２ｂが形成されている。また、図２に示すように、容器口部２の内周上方には、下方に延在されると共に密封部２ｅ内径よりも若干大径に形成され、密封部２ｅとの間で押圧密封する第１挿入部１２ｃが形成されている。この第１挿入部１２ｃは容器口部２に装着されると、圧縮変形することで密封部２ｅと密着する。また、容器口部２内周よりも小径であって第１挿入部１２ｃより下方には第２挿入部１２ｄが形成されている。
【００１５】
第２挿入部１２ｄは、下方に向かうにつれて小径となるテーパー形状とされている。第２挿入部１２ｄの先端は球面形状１２ｅとされている。この挿入部付き中栓１２（球面形状１２ｅ）の下端は、前述のピルファープルーフバンド１１ｃの下端よりも下方となる位置まで延びているように形成されている。更に、実施例１にあっては、この挿入部付き中栓１２の下端は、前述のサポートリング２ａよりも下方となる位置まで延びているように形成されている。
【００１６】
第２挿入部１２ｄの外周には、挿入部外周上方と挿入部外周下方とを連通する縦溝１２ｆが、円周方向に等間隔で複数形成されている。また、第２挿入部１２ｄの外周及び球面形状１２ｅの表面には、円周溝１２ｇが軸方向に複数形成されている。
【００１７】
容器２０に充填された内容物３は、挿入部付き中栓１２の側面と内周面２ｆとの間の隙間にも全て満たされた状態とされている。以下、内容部３と上記各構成との関係に基づく作用について説明する。
【００１８】
（高濃度酸素水について）
実施例１では、内容物３として高濃度酸素水が充填されている。高濃度酸素水とは、通常の空気中に置かれた水に含まれているよりも多い量の酸素を溶解させた水である。空気中に置かれた水には平衡状態、20℃で1L当たりおよそ9.3mgの酸素が溶解している。これに対し、高濃度酸素水には、その5〜30倍の酸素が含まれているものとされている。
【００１９】
気温0℃において、水に対する酸素の溶解度は1気圧，1mLの条件において0.049mLであることから、酸素濃度は、0.049ｍＬ/22400ｍＬ/mol×32g/mol×1000000＝70ppmとなる。また気温20℃において、水に対する酸素の溶解度は1気圧，1mLの条件において0.031mLであることから、酸素濃度は、0.031ｍＬ/22400ｍＬ/mol×32g/mol×1000000＝44ppmとなる。一般のミネラルウォータにおける酸素濃度は8ppm程度であることからも分かるように、密封していない水では44〜70ppmが酸素量の上限となる。以上から、慣例的に高濃度酸素水とは約50ppm以上の酸素濃度を有するものを指す。
【００２０】
高濃度酸素水を流通過程に置くには、温度環境の変化等を考慮する必要があることから、容器内に高圧で密封しなければならない。実施例１における容器２０は酸素濃度120ppmの高濃度酸素水を100kpaで密封している。酸素濃度にもよるが、おおむね50kpa〜150kpa程度の範囲で密封することが望ましい。
【００２１】
ここで、容器内に高濃度酸素水を100kpaで密封したとしても、上述したように非常に水に溶けにくい気体を溶解させているため、高濃度酸素水を充填した後の内容物以外の気体が占める部分の容積（以下、ヘッドスペース）の大小が内容物の品質維持に影響するという新たな課題が見出された。すなわち、容器内部と容器外部との間の気密漏れをいくら防止したとしても、品質を維持することが困難であることが見出された。
【００２２】
図３はヘッドスペース容積と酸素濃度低下量との関係を表す実験データである。容器内圧を100kpaとしたとき、ヘッドスペース容積が大きくなればなるほど、酸素濃度の低下が大きくなる。つまり、ヘッドスペース容積の大小と品質維持とは非常に強い相関があるといえる。
【００２３】
高濃度酸素水以外の通常の内容物を充填している場合、ヘッドスペース内の気体を窒素や炭酸ガスに置換することで、気体内の酸素を排除し、酸化を防止することで内容物の品質を維持することが可能である。この場合は、前記各特許文献の技術を適用すれば足りると考えられる。しかしながら、内容物が高濃度酸素水等の場合、窒素や炭酸ガスに置換したとしても、内容物から酸素や水素がヘッドスペースに抜け出してしまい、品質を維持することができない。一方、品質を維持するために、ヘッドスペース内の気体を酸素や水素といった気体と置換することは、安全上の観点から問題がある。他の方法として、容器の口部ギリギリまで内容物を充填（以下、満注充填）させてヘッドスペース自体を小さくすることも考えられるが、消費者が容器用蓋を開封した際、開栓時の動作により内容物がこぼれてしまい、飲用出来る量が少なくなったり、また、消費者の手や衣服を濡らす虞がある。
【００２４】
また、容器をある程度圧縮変形させた状態で内容物を満注充填し、その状態で閉栓することで、開栓時に容器の復元力を利用して空気を容器内に導入し、ヘッドスペースを確保する技術も知られている。しかしながら、この技術を適用する場合には、容器の強度による制限や、製造工程におけるライン変更等が必要となり、必ずしも有用とは言えない。
【００２５】
そこで、実施例１では、容器用蓋１に挿入部付き中栓１２を設けることとした。この挿入部付き中栓１２は、容器内の容積を所定量以上占有するものであり、この占有容積は、5〜10mL程度に設定される。この容積は、開栓後に容器口部２に確保されるヘッドスペースに相当するものである。
【００２６】
例えば、容器口部２の口径が20mmの容器を考えた場合、開口端部から内容物表面まで16mm程度の深さが確保されれば、消費者の開栓動作によって内容物がこぼれることを防止することができる。ただし、安全率を考慮して20mm以上確保することが望ましい。
【００２７】
一般に、ペットボトル等に適用される容器口部の形状は規格化されており、上記20mmの深さは、ピルファープルーフバンド１１ｃを含む円筒部１１ａの高さと同じ程度である。挿入部付き中栓１２は後述する内容物充填方法に記載されているように、テーパー形状ないしは開口よりも小径であることが好ましいことから、挿入部付き中栓１２の長さが20mmだと占有容積が不十分となる。すなわち、挿入部付き中栓１２の占有容積によって開栓後上記20mmの深さを確保するには、挿入部付き中栓１２の下端が深さ20mmより下方に延びていなければ達成できない。
【００２８】
この関係は、概ね他の規格における容器口部においても適用可能なことから、挿入部付き中栓１２の先端が円筒部１１ａよりも下方に位置するように構成することとした。すなわち、円筒部１１ｃの軸方向長さと、開栓後の内容物のこぼれにくさと、挿入部付き中栓１２に要求される形状とに基づいて挿入部付き中栓１２の先端位置を規定することで、容器用蓋１を装着時にはヘッドスペースを限りなく小さくし、容器用蓋１を取り外したときには十分なヘッドスペースを確保することができるという特有の作用効果が得られるものである。
【００２９】
尚、内容物の粘性等によっても必要な占有容積は変わってくると考えられるが、水のように粘性の低い液体であっても、上記容量で足りると考えられることから、粘性が高い場合には更に占有容積が小さくてもよい。また、粘性が低い場合であっても、口径が小さい場合には占有容積を小さくすればよいし、口径が大きい場合には占有容積を大きくすればよい。すなわち、口径に応じてこぼれない程度の深さを設定し、この深さに相当する占有容積を確保すればよい。
【００３０】
（内容物充填方法について）
次に、内容物充填方法について説明する。上述したように、高濃度酸素水を容器２０に充填し、容器用蓋１を装着する場合、容器内圧が約50kpa〜150kpa（ゲージ圧）の範囲で密封される（以下、全てゲージ圧として記載する）。図３に示すように、容器内圧を100kpaとしたとき、ヘッドスペース容積が4mLで20ppmの低下が認められ、ヘッドスペース容積が10mLでは45ppmの低下が認められる。よって、120ppmの高濃度酸素水を充填した場合、ヘッドスペース容積は限りなく0mLに近いほうが良く、大きくても4mL以下に抑えることが望ましい。言い換えると、容器用蓋１が装着された容器の内容物３の容積と挿入部付き中栓１２の容積との和と、容器２０の容積との差を4mL以下とすることが望ましい。尚、「容器用蓋１が装着された容器の内容物３の容積」とは、容器２内に内容物３を充填して容器用蓋１により封入した状態、すなわち未開封商品における内容物正味量を意味する。
【００３１】
以上のことから、容器２０に内容物３である高濃度酸素水を満注充填する満注充填工程を経て、その状態で容器用蓋１を容器口部２に装着する封入工程を行うこととした。また、満注充填されていることから、容器用蓋１を装着する際、挿入部付き中栓１２の占有容積に相当する高濃度酸素水は容器外部に逃がすこととした。容器外部に逃がさない場合には、挿入部付き中栓１２の占有容積分だけ容器２０の膨張変形を伴い、消費者が開栓すると、容器の復元力により内容物がこぼれるおそれがあるからである。
【００３２】
ここで、内容物３を確実に容器外部に逃がす必要があることから、挿入部付き中栓１２の特に第２挿入部１２ｄにおいて、テーパー形状とすることで挿入部付き中栓１２と容器口部２の内周面２ｆとの間に隙間を確保すると共に、縦溝１２ｆを形成した。内容物３が満注充填された状態で挿入部付き中栓１２が容器口部２内周に挿入されると、挿入された容積に相当する高濃度酸素水が挿入部付き中栓１２の外周と内周面２ｆとの間の隙間から容器外部に流出する。更に挿入していくと、この隙間がかなり狭くなり、あふれ出しにくくなることから、縦溝１２ｆを利用して効率よく容器外部に排出する。最終的には、第１挿入部１２ｃと密封部２ｅによって完全に容器内部と容器外部が密封される。
【００３３】
このように、挿入部付き中栓１２をテーパー形状とし、更に縦溝１２ｆを形成することで、容器２０が膨張することなく、限りなくヘッドスペース容積を0mLに近い状態で維持しながら容器用蓋１を容器口部２に装着することができる。
【００３４】
（開栓時の作用について）
次に、開栓時の作用について説明する。上述したように、ヘッドスペース容積を略0mLに保った状態で容器内圧100kpaとされた商品を前提とする。消費者がこの商品を開栓するとき、容器用蓋１のキャップ部１１の円筒部１１ａを把持し、螺子係合を解くように回転させる。このとき、第１挿入部１２ｃのみが密封部２ｅと密着しているだけであるため、さほど強い力を必要とすることなく回転させることができる。
【００３５】
回転により容器用蓋１が全体的に持ち上げられると、ピルファープルーフバンド１１ｃが破断すると共に、第１挿入部１２ｃと密封部２ｅとの間の密封が解かれることになる。容器内圧は100kpaであることから、大気に触れると高濃度酸素水内に溶解している酸素が空気中に抜け出し始める。このとき、縦溝１２ｆにより早期に容器内部と容器外部が連通され、この縦溝１２ｆを介して酸素等の空気が排出されるため、徐々に容器内圧を低下させることが可能となり、容器用蓋１の螺子係合が外れる前に容器内圧を十分減圧することができる。よって、容器用蓋１が一気に外れて飛び出すようなことはない。
【００３６】
取り外した容器用蓋１は、特に挿入部付き中栓１２において内容物３に浸った状態であることから、挿入部付き中栓１２に付着した内容物３が液垂れを招くおそれがある。そこで、円周溝１２ｇを複数形成した。この円周溝１２ｇは、挿入部付き中栓１２に付着している内容物３が垂れてきたときに、円周溝１２ｇの溝角度によって内容物３（液体）との接触角を確保し、表面張力を増大させるものである。これにより、円周溝１２ｇがない場合に比べてより多くの内容物３を保持することが可能となり、液垂れを抑制することができる。
【００３７】
尚、この円周溝１２ｇは、垂れてきた内容物３を保持することが目的であることから、挿入部付き中栓１２の軸方向中心よりも下方に形成されていることが望ましい。全てに形成されてしまうと、挿入部付き中栓１２自体が保持する内容物３が多くなりすぎるからである。
【００３８】
以上説明したように、実施例１にあっては、下記に列挙する作用効果を得ることができる。
【００３９】
(1)容器口部外周と係合可能な円筒部１１ａと、容器口部２内周に挿入され、先端が円筒部１１ａ下端よりも下方に延在されると共に容器２０内の容積を所定量以上占有する挿入部付き中栓１２と、を備えた。よって、挿入部付き中栓１２が容器内の容積を所定量以上占有するため、ヘッドスペースを小さくすることが可能となり、ヘッドスペースの空気を代替ガスと置換するといった工程を経ることなく内容物の酸化を抑制して品質の低下を防止することができる。一方、容器２０から容器用蓋１を取り外したときは、挿入部付き中栓１２の占有容積の分だけヘッドスペース容積を確保することが可能となり、消費者が容器用蓋を開封した際、開栓時の動作により内容物がこぼれてしまい、飲用出来る量が少なくなったり、また、消費者の手や衣服を濡らすことを防止することができる。
【００４０】
(2)挿入部付き中栓１２を、容器用蓋１を容器に取り付けて水平面に載置したときに容器の内容物と接触する位置まで延在させた。よって、容器内のヘッドスペース容積を確実に小さくすることができる。
【００４１】
(3)挿入部付き中栓１２に、容器口部２内周と密着する第１挿入部１２ｃを形成した。よって、容器内部と容器外部とを確実に密封することができる。
【００４２】
(4)挿入部付き中栓１２に、第１挿入部１２ｃより下方であって、かつ、容器口部２内周よりも小径の第２挿入部１２ｄを形成した。よって、容器用蓋１を容器口部２に対して容易に装着することができる。
【００４３】
(5)第２挿入部１２ｄを、下方に向かうにつれて小径となるテーパー形状とした。よって、容器用蓋１を容器口部２に対して容易に装着することができる。
【００４４】
(6)挿入部付き中栓１２は、容器用蓋１を容器２０に取り付けて水平面に載置したときに容器の内容物が第２挿入部と容器口部内周との間に侵入することとした。よって、ヘッドスペース容積を極力小さくすることができる。
【００４５】
(7)挿入部付き中栓１２に、挿入部外周上方と挿入部外周下方とを連通する溝を形成した。具体的には、挿入部付き中栓１２外周に沿って縦溝１２ｆを形成した。よって、製造工程における容器用蓋１装着時にあっては容器２０の膨張等を抑制することができ、消費者の開栓時にあっては、容器内の気体等を早期に徐々に容器外部に排出することで、急激な圧力変化を抑制することができる。
【００４６】
(8)また、縦溝１２ｆとしたことで、螺旋溝等に比べて容器内部と容器外部を最短距離で接続することが可能となり、よりスムーズに容器用蓋１の装着、開栓を行うことができる。
【００４７】
(9)挿入部付き中栓１２外周に凹凸を形成した。具体的には、挿入部付き中栓１２の上下方向中心より下方に円周溝１２ｇを形成した。よって、挿入部付き中栓１２に付着した内容物の液垂れを抑制することができる。
【００４８】
(10)容器用蓋１が装着される容器の内容物を、50ppm以上の酸素濃度を有する高濃度酸素水とした。よって、ヘッドスペース容積による品質劣化に対し、高い効果を得ることができる。尚、高濃度酸素水に限らず、水に溶解しにくい気体を高濃度で溶解させた液体でもよく、例えば高濃度水素水等を対象としてもよい。
【００４９】
(11)容器用蓋１が装着された容器の内容物の容積と挿入部の容積との和と、容器の容積との差が0〜4mLの範囲とした。よって、高濃度酸素水の酸素濃度低下を抑制でき、品質劣化を抑制することができる。
【００５０】
(12)容器用蓋１が装着される容器の容器内圧をゲージ圧で50kpa〜150kpaとした。よって、高濃度酸素水の酸素濃度低下を抑制でき、品質の劣化を抑制することができる。
【００５１】
(13)挿入部付き中栓１２と円筒部１１ａを別体とした。よって、挿入部付き中栓１２の成形性を向上することができる。また、異なる材質を適用することもできるため、要求された条件に応じた設計変更の自由度を向上することができる。
【００５２】
(14)挿入部付き中栓１２の先端を球面形状とした。よって、消費者の開栓後の再装着時にあっても、容易に装着することができる。
【００５３】
(15)容器２０の口部開口２まで内容物を充填する満注充填工程と、容器用蓋１を開口２に装着する封入工程により内容物を充填することとした。よって、容器用蓋１を装着後のヘッドスペースの容積を極力小さくすることができる。
【００５４】
以下、変形例を記載する。基本的な作用効果は実施例１と同じであるため、異なる点についてのみ説明する。
【００５５】
（変形例１）
図４は実施例１の変形例１を示す図である。実施例１では、液垂れを防止する手段として円周溝１２ｇを形成した。これに対し、変形例１では、凹状の球面12g1を複数形成している点が異なる。この凹状の球面12g1は、第２挿入部１２ｄの下方外周及び球面形状１２ｅの表面にランダムに形成されている。これにより、挿入部付き中栓１２に付着した内容物の液垂れを抑制することができる。
【００５６】
（変形例２）
図５は実施例１の変形例２を示す図である。実施例１では、挿入部付き中栓１２の先端を球面形状１２ｅとした。これに対し、変形例２では、円錐形状12e1としている点が異なる。これにより、消費者の開栓後の再装着時にあっても、容易に装着することができる。
【００５７】
（変形例３）
図６は実施例１の変形例３を示す図である。実施例１では、円筒部１１ａと挿入部付き中栓１２を別体で構成した。これに対し、変形例３では、円筒部１１ａと挿入部付き中栓１２とを一体で構成した点が異なる。一体で構成するに当たり、変形例３では天板部を備えておらず、天板部に相当する部分を容器内部方向に膨出させて挿入部付き中栓１２を形成している。よって、挿入部付き中栓１２の上面側には凹部120が形成されている。
【００５８】
尚、実施例１のピルファープルーフバンド１１ｃは図６中のピルファープルーフバンド12c1に相当し、実施例１のキャップ部１１の円筒部１１ａは図６中の円筒部12a1に相当し、実施例１のキャップ部１１に形成された螺子部１１ｄは図６中の螺子部12d1に相当する。また、図６中の狭持部12b1は、キャップ部１１と上端開口２ｄとの間で狭持する実施例１とは異なり、円筒部12a1の押し下げ力で保持する。
【００５９】
これにより、キャップ部と挿入部を組み付ける工程を排除することが可能となり、低コスト化を図ることができる。尚、変形例３では、天板部に相当する部分に挿入部による穴120が開口している構成としたが、この穴120を蓋等で覆ってもよい。
尚、上記実施例及び変形例では、内容物として高濃度酸素水を適用した場合について説明したが、他の内容物であっても構わない。具体的には、特に溶解度の低い気体等が溶解している飲料に限られず、他の清涼飲料水等であってもよい。
この場合、容器用蓋１が装着された容器２の内容物の容積（すなわち、未開封商品における内容物正味量）と挿入部付き中栓１２の容積との和と、容器２の容積との差が0mLであることが好ましい。これにより、ヘッドスペース内の気体を窒素や炭酸ガスに置換することなく、酸化を防止することで内容物の品質を維持することができる。
【図面の簡単な説明】
【００６０】
【図１】実施例１の容器用蓋を容器に装着した状態を表す部分断面図である。
【図２】実施例１の容器用蓋を表す部分断面図である。
【図３】実施例１のヘッドスペース容積と酸素濃度低下量の関係を表す実験データである。
【図４】実施例１の変形例１を表す部分断面図である。
【図５】実施例１の変形例２を表す部分断面図である。
【図６】実施例１の変形例３を表す断面図である。
【符号の説明】
【００６１】
１    容器用蓋
２    容器口部
２ａ    サポートリング
２ｂ    肩部
２ｃ    螺子溝
２ｄ    上端開口
２ｅ    密封部
２ｆ    内周面
３    内容物（高濃度酸素水）
１１    キャップ部
１１ａ    円筒部
１１ｂ    天板部
１１ｃ    ピルファープルーフバンド
１１ｄ    螺子部
１１ｅ    挿入部保持用凸部
１２    挿入部付き中栓
１２ａ    係合凸部
１２ｂ    狭持部
１２ｃ    第１挿入部
１２ｄ    第２挿入部
１２ｅ    球面形状
１２ｆ    縦溝
１２ｇ    円周溝
２０    容器
120    凹部
12a1    円筒部
12b1    狭持部
12c1    ピルファープルーフバンド
12d1    螺子部
12e1    円錐形状
12g1    球面
【図１】
2008280053.tif 000003
【図２】
2008280053.tif 000004
【図３】
2008280053.tif 000005
【図４】
2008280053.tif 000006
【図５】
2008280053.tif 000007
【図６】
2008280053.tif 000008